(57)【特許請求の範囲】
【請求項１】
競技者が携帯する無線機器と、当該無線機器との間で情報を無線通信する処理装置と、を含む競技用計測システムであって、
前記処理装置の通信エリア内に複数の計時ポイントが配置されており、計時ポイント毎に、第１の電磁場を生成する第１の電磁場生成手段と、第２の電磁場を生成する第２の電磁場生成手段とを設けてあり、第１の電磁場生成手段はそれぞれに固有の識別情報を第１の電磁場に重畳してあり、
前記無線機器には、
時刻を計時する計時手段と、
競技者が走行する走路上に生成された前記第１及び第２の電磁場を検出する電磁場検出手段と、
前記電磁場検出手段により前記第１の電磁場が検出された際に、当該電磁場に重畳された前記固有の識別情報を受信する識別情報受信手段と、
前記識別情報受信手段により受信された前記識別情報を記憶する記憶手段と、
前記電磁場検出手段により検出された前記第２の電磁場の電磁界強度の増減に基づいて、前記計時ポイントを検出する計時ポイント検出手段と、
前記計時ポイント検出手段により前記計時ポイントが検出された際に、前記計時手段にて計時された時刻を計時タイムとして特定するタイム特定手段と、
前記タイム特定手段により特定された前記計時タイム、前記記憶手段に記憶された前記識別情報、及び、前記無線機器に設定されているＩＤを含むタイム情報を、前記処理装置に向けて送信する情報送信手段と、が設けられ、
前記処理装置には、
前記無線機器から送信される前記タイム情報を受信する情報受信手段と、
前記情報受信手段により受信された前記タイム情報に基づいて、競技者が到達した計時ポイントを特定し、当該計時ポイントにおける競技者の計時タイムを決定するタイム決定手段と、が設けられている、
ことを特徴とする競技用計測システム。
【請求項２】
競技者が周回する走路上において、前記識別情報受信手段が同一の識別情報を受信した場合に、前記記憶手段が、当該同一の識別情報の数に応じた周回数を記憶し、
前記情報送信手段が、前記記憶手段に記憶された前記周回数を更に含むタイム情報を、前記処理装置に向けて送信し、
前記タイム決定手段が、前記タイム情報に基づいて、前記周回数に対応した競技者の計時タイムを決定する、
ことを特徴とする請求項１に記載の競技用計測システム。
【請求項３】
前記処理装置には、基準となる基準時刻を計時する基準時刻計時手段が更に設けられ、
前記基準時刻計時手段により計時される基準時刻を示す時刻情報が前記情報送信手段によって前記無線機器に送信され、
前記無線機器には、前記計時手段により計時される時刻を補正する補正手段が更に設けられ、前記情報受信手段により受信された前記時刻情報に基づいて、前記補正手段が前記計時手段の時刻を補正する、
ことを特徴とする請求項１又は２に記載の競技用計測システム。
【請求項４】
前記処理装置には、
前記計時タイムの送信を要求する要求情報を、前記無線機器に向けて送信する要求情報送信手段が更に設けられ、
前記無線機器には、
前記処理装置から送信される前記要求情報を受信する要求情報受信手段が更に設けられ、
前記要求情報受信手段により受信された前記要求情報に応答して、前記タイム情報を、前記処理装置に向けて送信する、
ことを特徴とする請求項１乃至３の何れか１項に記載の競技用計測システム。
【請求項５】
競技者が携帯する無線機器と、当該無線機器との間で情報を無線通信する処理装置と、を含む競技用計測システムであって、
前記処理装置の通信エリア内に複数の計時ポイントが配置されており、計時ポイント毎に、第１の電磁場を生成する第１の電磁場生成手段と、第２の電磁場を生成する第２の電磁場生成手段とを設けてあり、第１の電磁場生成手段はそれぞれに固有の識別情報を第１の電磁場に重畳してあり、
前記無線機器には、
競技者が走行する走路上に生成された前記第１及び第２の電磁場を検出する電磁場検出手段と、
前記電磁場検出手段により前記第１の電磁場が検出された際に、当該電磁場に重畳された前記固有の識別情報を受信する識別情報受信手段と、
前記識別情報受信手段により受信された前記識別情報を記憶する記憶手段と、
前記電磁場検出手段により検出された前記第２の電磁場の電磁界強度の増減に基づいて、前記計時ポイントを検出する計時ポイント検出手段と、
前記計時ポイント検出手段により前記計時ポイントが検出された際に、前記記憶手段に記憶された前記識別情報、及び、前記無線機器に設定されているＩＤを含む特定情報を、前記処理装置に向けて送信する情報送信手段と、が設けられ、
前記処理装置には、
時刻を計時する計時手段と、
前記無線機器から送信される前記特定情報を受信する情報受信手段と、
前記情報受信手段が前記特定情報を受信した際に、当該特定情報に基づいて競技者が到達した計時ポイントを特定するとともに、前記計時手段にて計時された時刻を当該計時ポイントにおける競技者の計時タイムとして決定するタイム決定手段と、が設けられている、
ことを特徴とする競技用計測システム。
【請求項６】
競技者が周回する走路上において、前記識別情報受信手段が同一の識別情報を受信した場合に、前記記憶手段が、当該同一の識別情報の数に応じた周回数を記憶し、
前記情報送信手段が、前記記憶手段に記憶された前記周回数を更に含む特定情報を、前記処理装置に向けて送信し、
前記タイム決定手段が、前記特定情報に基づいて、前記周回数に対応した競技者の計時タイムを決定する、
ことを特徴とする請求項５に記載の競技用計測システム。
【請求項７】
競技者が携帯する無線機器と、当該無線機器との間で情報を無線通信する処理装置と、を含む競技用計測システムにおけるタイム計時方法であって、
前記処理装置の通信エリア内に複数の計時ポイントが配置されており、計時ポイント毎に、第１の電磁場を生成する第１の電磁場生成手段と、第２の電磁場を生成する第２の電磁場生成手段とを設けてあり、第１の電磁場生成手段はそれぞれに固有の識別情報を第１の電磁場に重畳してあり、
前記無線機器において、時刻を計時する計時ステップと、
前記無線機器において、競技者が走行する走路上に生成された前記第１及び第２の電磁場を検出する電磁場検出ステップと、
前記無線機器において、前記電磁場検出ステップにて前記第１の電磁場が検出された際に、当該電磁場に重畳された前記固有の識別情報を受信する識別情報受信ステップと、
前記無線機器において、前記電磁場検出ステップにて検出された前記第２の電磁場の電磁界強度の増減に基づいて、前記計時ポイントを検出する計時ポイント検出ステップと、
前記無線機器において、前記計時ポイント検出ステップにて前記計時ポイントが検出された際に、前記計時ステップにて計時された時刻を計時タイムとして特定するタイム特定ステップと、
前記無線機器において、前記タイム特定ステップにて特定された前記計時タイム、前記識別情報受信ステップにて受信された前記識別情報、及び、前記無線機器に設定されているＩＤを含むタイム情報を、前記処理装置に向けて送信する情報送信ステップと、
前記処理装置において、前記無線機器から送信される前記タイム情報を受信する情報受信ステップと、
前記処理装置において、前記情報受信ステップにて受信された前記タイム情報に基づいて、競技者が到達した計時ポイントを特定し、当該計時ポイントにおける競技者の計時タイムを決定するタイム決定ステップと、
を備えることを特徴とするタイム計時方法。
【請求項８】
競技者が携帯する無線機器と、当該無線機器との間で情報を無線通信する処理装置と、を含む競技用計測システムにおけるタイム計時方法であって、
前記処理装置の通信エリア内に複数の計時ポイントが配置されており、計時ポイント毎に、第１の電磁場を生成する第１の電磁場生成手段と、第２の電磁場を生成する第２の電磁場生成手段とを設けてあり、第１の電磁場生成手段はそれぞれに固有の識別情報を第１の電磁場に重畳してあり、
前記無線機器において、競技者が走行する走路上に生成された前記第１及び第２の電磁場を検出する電磁場検出ステップと、
前記無線機器において、前記電磁場検出ステップにて前記第１の電磁場が検出された際に、当該電磁場に重畳された前記固有の識別情報を受信する識別情報受信ステップと、
前記無線機器において、前記電磁場検出ステップにて検出された前記第２の電磁場の電磁界強度の増減に基づいて、前記計時ポイントを検出する計時ポイント検出ステップと、
前記無線機器において、前記計時ポイント検出ステップにて前記計時ポイントが検出された際に、前記識別情報受信ステップにて受信された前記識別情報、及び、前記無線機器に設定されているＩＤを含む特定情報を、前記処理装置に向けて送信する情報送信ステップと、
前記処理装置において、時刻を計時する計時ステップと、
前記処理装置において、前記無線機器から送信される前記特定情報を受信する情報受信ステップと、
前記処理装置において、前記情報受信ステップにて前記特定情報を受信した際に、当該特定情報に基づいて競技者が到達した計時ポイントを特定するとともに、前記計時ステップにて計時された時刻を当該計時ポイントにおける競技者の計時タイムとして決定するタイム決定ステップと、
を備えることを特徴とするタイム計時方法。
【発明の詳細な説明】
【技術分野】
【０００１】
この発明は、通信範囲内に複数の計時ポイントが存在する場合でも、計時ポイント等を特定して競技者のタイムを適切に計時することのできる競技用計測システム、および、タイム計時方法に関する。
【背景技術】
【０００２】
近年、マラソン競技等において、競技者個々のゴールタイムを計測（計時）する試みがなされている。例えば、競技者のゼッケン等にバーコードを印刷しておき、ゴールした競技者のバーコードをリーダにて読み取った時刻に基づいて、競技者個々のゴールタイムを計測する計時システムも実用化されている。
それでも従来の計時システムでは、ゴール後に所定時間かけてバーコードの読み取りを行うため、そもそも実測よりも遅れたゴールタイムが計測されていた。特に、大勢の競技者が同時期にゴールした場合等では、バーコードの読み取り待ちが生じてしまい、実測よりもかなり遅れたゴールタイムが計測されてしまうという問題があった。
また、ゴールタイムだけでなく、各中継地点における通過タイムを含めた競技タイムも計測したいという要望が高まっているが、従来の計時システムでは、これに対応できなかった。
【０００３】
このような問題を解決するため、種々の計時システムが開発され、実用化に向けた運用試験等が試みられている。新たな計時システムは、より実測に近いゴールタイムを計測するために、また、各中継地点における通過タイムも計測可能とするために、非接触にて競技者個々の競技タイムを計測する形態が主流となっている。
例えば、競技者にタグ送信機を保持させ、このタグ送信機から送られる情報により、競技タイムを計時する、というものである。
【０００４】
より具体的には、方形ループコイル等から競技トラック上の計時エリア内にトリガ信号を送信するようにしておき、タグ送信機を保持する競技者がその計時エリア内を走行すると、このトリガ信号に応答してタグ送信機からＩＤ（識別番号等）が送信される。そして、ＩＤ受信ユニットがこのＩＤを受信することにより、各競技者の周回数や競技タイムを計時する（例えば、特許文献１参照）。
この他にも、タグ送信機がＵＨＦ帯の微弱無線電波等にてＩＤを送出することにより、タグ送信機の通信距離の拡大を図る技術も開示されている（例えば、特許文献２参照）。
【特許文献１】特開２００３−１４１４９７号公報  （第２−４頁、第２図）
【特許文献２】特開２００４−１２５７６５号公報  （第３−４頁、第２図）
【発明の開示】
【発明が解決しようとする課題】
【０００５】
上述した特許文献１，２の技術は、各計時ポイントがかなり離れて配置されるマラソン競技に適用可能である。
それでも、幾つかの計時ポイントがある程度近くに配置される競技（例えば、陸上のクロスカントリ競技等）には、適用できない。これは、特許文献１，２の技術では、ＩＤ受信ユニットの通信エリア内に、１つの計時ポイントだけが存在することを想定しているためである。
【０００６】
例えば、図２０に示すように、ＩＤ受信ユニットＪの通信エリアＡ内に、周回コースＣの計時ポイントＰ１と、フィニッシュ（ゴール）部Ｆの計時ポイントＰ２とが存在していると、ＩＤ受信ユニットＪは、異なる計時ポイントに到達したタグ送信機Ｓ１，Ｓ２からそれぞれ送られるＩＤを受信することになる。
この場合、ＩＤ受信ユニットＪは、各タグ送信機がどちらの計時ポイントに到達したのか（どちらの計時ポイントからＩＤが送られたのか）が、そのままでは判別できない。また、周回コースにおいては、周回遅れ等により競技者の周回数が異なる場合もあるため、タグ送信機単位（競技者単位）に周回数をカウントする必要がある。
【０００７】
そのため、ＩＤ受信ユニットＪは、それぞれの周回数を管理すべく、ＩＤを受信する度に、対応するタグ送信機の周回数をカウントする（カウントアップする）ことが考えられる。そして、この周回数のカウントが正常に行われたならば、タグ送信機Ｓ２が計時ポイントＰ２に到達した（フィニッシュした）ことも判別可能となる。つまり、カウントした周回数が、周回コースにおける規定周回数を超えている場合には、そのＩＤが計時ポイントＰ２から送られたことになる。
【０００８】
しかしながら、コリジョンの発生等により、送信されるはずのＩＤを受信できない状況が生じてしまうと、そのＩＤを持つタグ送信機の周回数が不正確となり、競技タイムが実際の周回数とずれてしまう。そして、競技者がフィニッシュしても、未だ周回コースを周回中であると判断されてしまうことになる。
【０００９】
すなわち、従来の計時システムでは、通信範囲内に複数の計時ポイントが存在する場合に、計時ポイントや周回数を特定した競技者のタイムを適切に計時することができないという問題が生じていた。
【００１０】
本発明は、上記実状に鑑みてなされたもので、通信範囲内に複数の計時ポイントが存在する場合でも、計時ポイント等を特定して競技者のタイムを適切に計時することのできる競技用計測システム、および、タイム計時方法を提供することを目的とする。
【課題を解決するための手段】
【００１１】
上記目的を達成するため、本発明の第１の観点に係る競技用計測システムは、
競技者が携帯する無線機器と、当該無線機器との間で情報を無線通信する処理装置と、を含む競技用計測システムであって、
前記処理装置の通信エリア内に複数の計時ポイントが配置されており、計時ポイント毎に、第１の電磁場を生成する第１の電磁場生成手段と、第２の電磁場を生成する第２の電磁場生成手段とを設けてあり、第１の電磁場生成手段はそれぞれに固有の識別情報を第１の電磁場に重畳してあり、
前記無線機器には、
時刻を計時する計時手段と、
競技者が走行する走路上に生成された前記第１及び第２の電磁場を検出する電磁場検出手段と、
前記電磁場検出手段により前記第１の電磁場が検出された際に、当該電磁場に重畳された前記固有の識別情報を受信する識別情報受信手段と、
前記識別情報受信手段により受信された前記識別情報を記憶する記憶手段と、
前記電磁場検出手段により検出された前記第２の電磁場の電磁界強度の増減に基づいて、前記計時ポイントを検出する計時ポイント検出手段と、
前記計時ポイント検出手段により前記計時ポイントが検出された際に、前記計時手段にて計時された時刻を計時タイムとして特定するタイム特定手段と、
前記タイム特定手段により特定された前記計時タイム、前記記憶手段に記憶された前記識別情報、及び、前記無線機器に設定されているＩＤを含むタイム情報を、前記処理装置に向けて送信する情報送信手段と、が設けられ、
前記処理装置には、
前記無線機器から送信される前記タイム情報を受信する情報受信手段と、
前記情報受信手段により受信された前記タイム情報に基づいて、競技者が到達した計時ポイントを特定し、当該計時ポイントにおける競技者の計時タイムを決定するタイム決定手段と、が設けられている、
ことを特徴とする。
【００１２】
この発明によれば、無線機器において、計時手段は、例えば、基準時刻に同期した時刻を計時する。また、電磁場検出手段は、競技者が走行する走路上に生成された第１及び第２の電磁場を検出する。識別情報受信手段は、電磁場検出手段により第１の電磁場が検出された際に、当該電磁場に重畳された固有の識別情報（例えば、マットＩＤ）を受信する。記憶手段は、識別情報受信手段により受信された識別情報を記憶する。計時ポイント検出手段は、電磁場検出手段により検出された第２の電磁場の電磁界強度の増減に基づいて、計時ポイントを検出する。タイム特定手段は、計時ポイント検出手段により計時ポイントが検出された際に、計時手段にて計時された時刻を計時タイムとして特定する。そして、情報送信手段は、タイム特定手段により特定された計時タイム、記憶手段に記憶された識別情報、及び、無線機器に設定されているＩＤを含むタイム情報を、処理装置に向けて送信する。一方、処理装置において、情報受信手段は、無線機器から送信されるタイム情報を受信する。そして、タイム決定手段は、情報受信手段により受信されたタイム情報に基づいて、競技者が到達した計時ポイントを特定し、当該計時ポイントにおける競技者の計時タイムを決定する。
このように、無線機器では、第１の電磁場に重畳された識別情報が受信され、また、第２の電磁場により計時ポイントが検出されて計時タイムが特定される。そして、計時タイム、識別情報及びＩＤを含むタイム情報が処理装置に送信される。
この結果、通信範囲内に複数の計時ポイントが存在する場合でも、計時ポイント等を特定して競技者のタイムを適切に計時することができる。
【００１３】
競技者が周回する走路上において、前記識別情報受信手段が同一の識別情報を受信した場合に、前記記憶手段が、当該同一の識別情報の数に応じた周回数を記憶し、
前記情報送信手段はが前記記憶手段に記憶された前記周回数を更に含むタイム情報を、前記処理装置に向けて送信し、
前記タイム決定手段が、前記タイム情報に基づいて、前記周回数に対応した競技者の計時タイムを決定してもよい。
この場合、計時ポイントにおける周回数を特定して競技者のタイムを適切に計時することができる。
【００１４】
前記処理装置には、基準となる基準時刻を計時する基準時刻計時手段が更に設けられ、
前記基準時刻計時手段により計時される基準時刻を示す時刻情報が前記情報送信手段によって前記無線機器に送信され、
前記無線機器には、前記計時手段により計時される時刻を補正する補正手段が更に設けられ、前記情報受信手段により受信された前記時刻情報に基づいて、前記補正手段が前記計時手段の時刻を補正してもよい。
【００１５】
前記処理装置には、
前記計時タイムの送信を要求する要求情報を、前記無線機器に向けて送信する要求情報送信手段が更に設けられ、
前記無線機器には、
前記処理装置から送信される前記要求情報を受信する要求情報受信手段が更に設けられ、
前記要求情報受信手段により受信された前記要求情報に応答して、前記タイム情報を、前記処理装置に向けて送信してもよい。
【００１６】
上記目的を達成するため、本発明の第２の観点に係る競技用計測システムは、
競技者が携帯する無線機器と、当該無線機器との間で情報を無線通信する処理装置と、を含む競技用計測システムであって、
前記処理装置の通信エリア内に複数の計時ポイントが配置されており、計時ポイント毎に、第１の電磁場を生成する第１の電磁場生成手段と、第２の電磁場を生成する第２の電磁場生成手段とを設けてあり、第１の電磁場生成手段はそれぞれに固有の識別情報を第１の電磁場に重畳してあり、
前記無線機器には、
競技者が走行する走路上に生成された前記第１及び第２の電磁場を検出する電磁場検出手段と、
前記電磁場検出手段により前記第１の電磁場が検出された際に、当該電磁場に重畳された前記固有の識別情報を受信する識別情報受信手段と、
前記識別情報受信手段により受信された前記識別情報を記憶する記憶手段と、
前記電磁場検出手段により検出された前記第２の電磁場の電磁界強度の増減に基づいて、前記計時ポイントを検出する計時ポイント検出手段と、
前記計時ポイント検出手段により前記計時ポイントが検出された際に、前記記憶手段に記憶された前記識別情報、及び、前記無線機器に設定されているＩＤを含む特定情報を、前記処理装置に向けて送信する情報送信手段と、が設けられ、
前記処理装置には、
時刻を計時する計時手段と、
前記無線機器から送信される前記特定情報を受信する情報受信手段と、
前記情報受信手段が前記特定情報を受信した際に、当該特定情報に基づいて競技者が到達した計時ポイントを特定するとともに、前記計時手段にて計時された時刻を当該計時ポイントにおける競技者の計時タイムとして決定するタイム決定手段と、が設けられている、
ことを特徴とする。
【００１７】
この発明によれば、無線機器において、電磁場検出手段は、競技者が走行する走路上に生成された第１及び第２の電磁場を検出する。識別情報受信手段は、電磁場検出手段により第１の電磁場が検出された際に、当該電磁場に重畳された固有の識別情報（例えば、マットＩＤ）を受信する。記憶手段は、識別情報受信手段により受信された識別情報を記憶する。計時ポイント検出手段は、電磁場検出手段により検出された第２の電磁場の電磁界強度の増減に基づいて、計時ポイントを検出する。そして、情報送信手段は、計時ポイント検出手段により計時ポイントが検出された際に、記憶手段に記憶された識別情報、及び、無線機器に設定されているＩＤを含む特定情報を、処理装置に向けて送信する。一方、処理装置において、計時手段は時刻を計時する。情報受信手段は、無線機器から送信される特定情報を受信する。そして、タイム決定手段は、情報受信手段が特定情報を受信した際に、当該特定情報に基づいて競技者が到達した計時ポイントを特定するとともに、計時手段にて計時された時刻を当該計時ポイントにおける競技者の計時タイムとして決定する。
このように、無線機器では、第１の電磁場に重畳された識別情報が受信され、また、第２の電磁場により計時ポイントが検出される。そして、識別情報及びＩＤを含む特定情報が処理装置に送信される。そして、処理装置では、無線機器から送信される特定情報を受信した際に、当該特定情報に基づいて競技者が到達した計時ポイントを特定するとともに、当該計時ポイントにおける競技者の計時タイムを決定する。
この結果、通信範囲内に複数の計時ポイントが存在する場合でも、計時ポイント等を特定して競技者のタイムを適切に計時することができる。
【００１８】
競技者が周回する走路上において、前記識別情報受信手段が同一の識別情報を受信した場合に、前記記憶手段が、当該同一の識別情報の数に応じた周回数を記憶し、
前記情報送信手段が、前記記憶手段に記憶された前記周回数を更に含む特定情報を、前記処理装置に向けて送信し、
前記タイム決定手段が、前記特定情報に基づいて、前記周回数に対応した競技者の計時タイムを決定してもよい。
この場合、計時ポイントにおける周回数を特定して競技者のタイムを適切に計時することができる。
【００１９】
上記目的を達成するため、本発明の第３の観点に係るタイム計時方法は、
競技者が携帯する無線機器と、当該無線機器との間で情報を無線通信する処理装置と、を含む競技用計測システムにおけるタイム計時方法であって、
前記処理装置の通信エリア内に複数の計時ポイントが配置されており、計時ポイント毎に、第１の電磁場を生成する第１の電磁場生成手段と、第２の電磁場を生成する第２の電磁場生成手段とを設けてあり、第１の電磁場生成手段はそれぞれに固有の識別情報を第１の電磁場に重畳してあり、
前記無線機器において、時刻を計時する計時ステップと、
前記無線機器において、競技者が走行する走路上に生成された前記第１及び第２の電磁場を検出する電磁場検出ステップと、
前記無線機器において、前記電磁場検出ステップにて前記第１の電磁場が検出された際に、当該電磁場に重畳された前記固有の識別情報を受信する識別情報受信ステップと、
前記無線機器において、前記電磁場検出ステップにて検出された前記第２の電磁場の電磁界強度の増減に基づいて、前記計時ポイントを検出する計時ポイント検出ステップと、
前記無線機器において、前記計時ポイント検出ステップにて前記計時ポイントが検出された際に、前記計時ステップにて計時された時刻を計時タイムとして特定するタイム特定ステップと、
前記無線機器において、前記タイム特定ステップにて特定された前記計時タイム、前記識別情報受信ステップにて受信された前記識別情報、及び、前記無線機器に設定されているＩＤを含むタイム情報を、前記処理装置に向けて送信する情報送信ステップと、
前記処理装置において、前記無線機器から送信される前記タイム情報を受信する情報受信ステップと、
前記処理装置において、前記情報受信ステップにて受信された前記タイム情報に基づいて、競技者が到達した計時ポイントを特定し、当該計時ポイントにおける競技者の計時タイムを決定するタイム決定ステップと、
を備えることを特徴とする。
【００２０】
この発明によれば、無線機器において、計時ステップは、例えば、基準時刻に同期した時刻を計時する。また、電磁場検出ステップは、競技者が走行する走路上に生成された第１及び第２の電磁場を検出する。識別情報受信ステップは、電磁場検出ステップにて第１の電磁場が検出された際に、当該電磁場に重畳された固有の識別情報（例えば、マットＩＤ）を受信する。計時ポイント検出ステップは、電磁場検出ステップにて検出された第２の電磁場の電磁界強度の増減に基づいて、計時ポイントを検出する。タイム特定ステップは、計時ポイント検出ステップにて計時ポイントが検出された際に、計時ステップにて計時された時刻を計時タイムとして特定する。そして、情報送信ステップは、タイム特定ステップにて特定された計時タイム、識別情報受信ステップにて受信された識別情報、及び、無線機器に設定されているＩＤを含むタイム情報を、処理装置に向けて送信する。一方、処理装置において、情報受信ステップは、無線機器から送信されるタイム情報を受信する。そして、タイム決定ステップは、情報受信ステップにて受信されたタイム情報に基づいて、競技者が到達した計時ポイントを特定し、当該計時ポイントにおける競技者の計時タイムを決定する。
このように、無線機器では、第１の電磁場に重畳された識別情報が受信され、また、第２の電磁場により計時ポイントが検出されて計時タイムが特定される。そして、計時タイム、識別情報及びＩＤを含むタイム情報が処理装置に送信される。
この結果、通信範囲内に複数の計時ポイントが存在する場合でも、計時ポイント等を特定して競技者のタイムを適切に計時することができる。
【００２１】
上記目的を達成するため、本発明の第４の観点に係るタイム計時方法は、
競技者が携帯する無線機器と、当該無線機器との間で情報を無線通信する処理装置と、を含む競技用計測システムにおけるタイム計時方法であって、
前記処理装置の通信エリア内に複数の計時ポイントが配置されており、計時ポイント毎に、第１の電磁場を生成する第１の電磁場生成手段と、第２の電磁場を生成する第２の電磁場生成手段とを設けてあり、第１の電磁場生成手段はそれぞれに固有の識別情報を第１の電磁場に重畳してあり、
前記無線機器において、競技者が走行する走路上に生成された前記第１及び第２の電磁場を検出する電磁場検出ステップと、
前記無線機器において、前記電磁場検出ステップにて前記第１の電磁場が検出された際に、当該電磁場に重畳された前記固有の識別情報を受信する識別情報受信ステップと、
前記無線機器において、前記電磁場検出ステップにて検出された前記第２の電磁場の電磁界強度の増減に基づいて、前記計時ポイントを検出する計時ポイント検出ステップと、
前記無線機器において、前記計時ポイント検出ステップにて前記計時ポイントが検出された際に、前記識別情報受信ステップにて受信された前記識別情報、及び、前記無線機器に設定されているＩＤを含む特定情報を、前記処理装置に向けて送信する情報送信ステップと、
前記処理装置において、時刻を計時する計時ステップと、
前記処理装置において、前記無線機器から送信される前記特定情報を受信する情報受信ステップと、
前記処理装置において、前記情報受信ステップにて前記特定情報を受信した際に、当該特定情報に基づいて競技者が到達した計時ポイントを特定するとともに、前記計時ステップにて計時された時刻を当該計時ポイントにおける競技者の計時タイムとして決定するタイム決定ステップと、
を備えることを特徴とする。
【００２２】
この発明によれば、無線機器において、電磁場検出ステップは、競技者が走行する走路上に生成された第１及び第２の電磁場を検出する。識別情報受信ステップは、電磁場検出ステップにて第１の電磁場が検出された際に、当該電磁場に重畳された固有の識別情報（例えば、マットＩＤ）を受信する。計時ポイント検出ステップは、電磁場検出ステップにて検出された第２の電磁場の電磁界強度の増減に基づいて、計時ポイントを検出する。そして、情報送信ステップは、計時ポイント検出ステップにて計時ポイントが検出された際に、識別情報受信ステップにて受信された識別情報、及び、無線機器に設定されているＩＤを含む特定情報を、処理装置に向けて送信する。一方、処理装置において、計時ステップは時刻を計時する。情報受信ステップは、無線機器から送信される特定情報を受信する。そして、タイム決定ステップは、情報受信ステップにて特定情報を受信した際に、当該特定情報に基づいて競技者が到達した計時ポイントを特定するとともに、計時ステップにて計時された時刻を当該計時ポイントにおける競技者の計時タイムとして決定する。
このように、無線機器では、第１の電磁場に重畳された識別情報が受信され、また、第２の電磁場により計時ポイントが検出される。そして、計時ポイントが検出された際に、識別情報及びＩＤを含む特定情報が処理装置に送信される。処理装置では、無線機器から送信される特定情報を受信した際に、当該特定情報に基づいて競技者が到達した計時ポイントを特定するとともに、計時ステップにて計時された時刻を当該計時ポイントにおける競技者の計時タイムとして決定する。
この結果、通信範囲内に複数の計時ポイントが存在する場合でも、計時ポイント等を特定して競技者のタイムを適切に計時することができる。
【発明の効果】
【００２３】
本発明によれば、通信範囲内に複数の計時ポイントが存在する場合でも、計時ポイント等を特定して競技者のタイムを適切に計時することができる。
【発明を実施するための最良の形態】
【００２４】
本発明の実施の形態にかかる競技用計測システムについて、以下、図面を参照して説明する。一例として、競技用計測システムが陸上のクロスカントリ競技に適用された場合について説明する。なお、このクロスカントリ競技における競技コースには、周回コースと、スタート部と、フィニッシュ（ゴール）部とが含まれている。そして、周回コースの計時ポイントと、フィニッシュ部の計時ポイントとは、ある程度近い距離に配置されているものとする。
【００２５】
（実施形態１）
図１は、この発明の第１の実施形態に適用される競技用計測システムの構成の一例を示す模式図である。なお、周回コースＣにおける計時ポイントＰ１と、フィニッシュ部Ｆにおける計時ポイントＰ２とは、ある程度近い距離に配置されている。
図示するように、この競技用計時システムは、計時ポイントＰ１及びその周辺に配置される変調磁場発生装置１０ａ，ループコイル１１ａ，磁場発生装置２０ａ，ループコイル２１ａと、計時ポイントＰ２及びその周辺に配置される変調磁場発生装置１０ｂ，ループコイル１１ｂ，磁場発生装置２０ｂ，ループコイル２１ｂと、計時ポイントＰ２の近傍等に配置される受信機３０，送受信機４０，処理装置としてのデータ処理装置５０と、競技者ＲＮに携帯される無線機器としての無線タグ１００とを含んで構成される。
なお、少なくとも、計時ポイントＰ１，Ｐ２を含む範囲が、受信機３０，送受信機４０の通信エリアＡとなっている。つまり、通信エリアＡ内において、受信機３０，送受信機４０と無線タグ１００との無線通信が可能となっている。
【００２６】
変調磁場発生装置１０（１０ａ，１０ｂ）は、ループコイル１１上に変調した電磁場を発生させる。なお、変調磁場発生装置１０ａは、周回コースＣの沿道に配置され、また、変調磁場発生装置１０ｂは、フィニッシュ部Ｆの沿道に配置されている。
具体的に変調磁場発生装置１０は、所定周波数に同期した正弦波を発生させる正弦波発生回路と、送信すべきマットＩＤ（固有の識別情報）に従って、正弦波を所定方式にて変調させる変調回路と、変調させた信号（変調信号）を増幅してループコイル１１に供給する電力増幅回路とを含んで構成される。
なお、変調磁場発生装置１０ａ，１０ｂでは、それぞれに異なるマットＩＤが定められている。
【００２７】
ループコイル１１（１１ａ，１１ｂ）は、例えば、略方形に形成されたコイルであり、変調磁場発生装置１０から供給される変調信号に基づいて、変調された電磁場を生成する。なお、ループコイル１１ａは、周回コースＣにおける計時ポイントＰ１の手前の走路上に配置され、また、ループコイル１１ｂは、フィニッシュ部Ｆにおける計時ポイントＰ２の手前の走路上に配置される。
より詳細に説明すると、ループコイル１１は、一例として、図２（ａ）に示すように、略方形（矩形）に形成されている。そして、１辺に給電点ｓを有するように形成され、この給電点ｓから矢印方向に電流が流れるようになっている。
そして、ループコイル１１は、変調磁場発生装置１０から給電点ｓを通じて変調信号が供給されると、変調された電磁場をコイル上に生成する。具体的には、図２（ｂ）に示すような電磁場を生成する。この電磁場には、一例として、図２（ｃ）に示すような振幅変調方式にて変調されたマットＩＤ（プリアンブル及びマットＩＤ）が重畳されている。
そのため、ループコイル１１上を、競技者ＲＮが通過した場合にだけ、無線タグ１００にマットＩＤが送信されることになる。
なお、上述したように、変調磁場発生装置１０ａ，１０ｂには、異なるマットＩＤが定められているため、ループコイル１１ａ，１１ｂからは、異なるマットＩＤが無線タグ１００に送信される。
【００２８】
図１に戻って、磁場発生装置２０（２０ａ，２０ｂ）は、ループコイル２１上に電磁場を発生させる。なお、磁場発生装置２０ａは、計時ポイントＰ１の近傍に配置され、また、磁場発生装置２０ｂは、計時ポイントＰ２の近傍に配置されている。
具体的に磁場発生装置２０は、所定周波数に同期した正弦波を発生させる正弦波発生回路と、発生させた正弦波を増幅してループコイル２１に供給する電力増幅回路とを含んで構成される。
【００２９】
ループコイル２１（２１ａ，２１ｂ）は、略「８の字」形状に形成されたコイルであり、磁場発生装置２０から供給される信号に基づいて、電磁場を生成する。なお、ループコイル２１ａは、計時ポイントＰ１に配置され、また、ループコイル２１ｂは、計時ポイントＰ２に配置される。
ループコイル２１は、一例として、図３（ａ）に示すように、矩形（方形）のコイル部を競技者ＲＮの走行方向（矢印Ａ方向）に２つ連ねたような８の字に形成されている。より詳細には、ループコイル２１は８の字順方向巻きとなっており、８の字の中心（中点）、すなわち交差部に給電点ｓを有するように形成され、この給電点ｓを通って競技者ＲＮの走行方向に対して直交する方向に延びる直線ｂを中心線として、略平行に所定距離だけ隔てた直線ａ，ｂに沿って、８の字の上下部が形成されている。なお、ループコイル２１は、この直線ｂが計時を行うための計時ラインに重なるように配置される。
【００３０】
そして、ループコイル２１は、図３（ａ）の給電点ｓから矢印方向に電流が流れるようになっており、磁場発生装置２０から正弦波が供給されると、コイル上に交流電磁場を生成する。具体的には、図３（ｂ）に示すように、一方のコイル部上に第１の電磁場２１０ａを生成するとともに、他方のコイル部上に第１の電磁場２１０ａに対して競技者ＲＮの走行方向（矢印Ａ方向）に隣接し且つ第１の電磁場２１０ａと電磁力を打ち消しあう第２の電磁場２１０ｂを生成する。
つまり、直線ｂ上の電磁場の磁界強度は、第１の電磁場２１０ａと第２の電磁場２１０ｂとの電磁場の磁力の打ち消しにより、その両側の電磁界強度よりも極めて小さくなっている（例えば、電磁界強度が”０”となっている）。
【００３１】
図示するような電磁場中を、電磁場の検出方向（検出コイル面Ｄに対して直角な方向）が走路と垂直（つまり、検出コイル面Ｄが走路に対して平行方向）に配置された電磁場検出コイルＣ（後述する無線タグ１００のＬＦアンテナ１０１）が矢印Ｂ方向に移動すると、図３（ｃ）に示すような電磁界強度分布が得られる。つまり、電磁場検出コイルＣは、走路に対して垂直方向の磁束をコイル面Ｄにて捉えることになるため、丁度中心にて、電磁界強度が極めて小さくなる（例えば、電磁界強度が”０”となる）図３（ｃ）に示すような電磁界強度分布を検出する。
このため、競技者ＲＮがループコイル２１上を、矢印Ｂ方向に沿って通過した場合に、無線タグ１００は、計時ライン上（直線ｂ上）を、第１の電磁場２１０ａと第２の電磁場２１０ｂとの間の電磁場の変極点（後述するトリガポイント）として検出することができる。
【００３２】
図１に戻って、情報受信手段としての受信機３０は、一例として、計時ポイントＰ２の近傍に配置され、無線タグ１００から送られるタイム情報（計時タイム、タグＩＤ、及び、マットＩＤ／周回数等）を受信する。
具体的に受信機３０は、通信エリアＡ内にて、無線タグ１００と通信可能であり、ループコイル２１（２１，２１ｂ）上を通過した無線タグ１００から送られるタイム情報を受信する。
【００３３】
送受信機４０は、一例として、計時ポイントＰ２の近傍に配置され、無線タグ１００からタイム情報が送信されない場合（受信機３０にてタイム情報の受信ができなかった場合）に、その無線タグ１００に向けてポーリングにより、タイム情報の送信を要求する。そして、無線タグ１００から送られるタイム情報を受信する。
なお、送受信機４０も、通信エリアＡ内にて、無線タグ１００と通信可能となっている。
【００３４】
データ処理装置５０は、受信機３０等を介して取得したタイム情報から計時ポイントや周回数を特定して、その計時ポイント等における競技者ＲＮの計時タイムを決定する。
図４は、データ処理装置５０の構成の一例を示すブロック図である。図示するように、データ処理装置５０は、情報取得部５１と、競技情報記憶部５２と、制御部５３と、報知情報供給部５４と、を含んで構成される。
【００３５】
情報取得部５１は、受信機３０が受信したタイム情報を取得する。また、情報取得部５１は、送受信機４０を介して、所定の無線タグ１００からタイム情報をポーリング受信する。
【００３６】
競技情報記憶部５２は、情報取得部５１が取得したタイム情報に基づいて、各無線タグ１００に対応した競技情報を記憶する。
具体的に競技情報記憶部５２は、図５に示すような、タグＩＤ毎に、計時ポイント、周回数及び、計時タイム等を集計した競技情報を記憶する。
【００３７】
図４に戻って、タイム決定手段としての制御部５３は、データ処理装置５０全体を制御する。
具体的に制御部５３は、情報取得部５１が受信機３０又は送受信機４０からタイム情報を取得すると、上述した図５に示すような競技情報に、計時ポイント、周回数及び、計時タイム等を追加して記憶する。
【００３８】
報知情報供給部５４は、競技情報記憶部５２に記憶された競技情報から、報知用の情報を生成し、図示せぬ表示盤等に供給する。例えば、報知情報供給部５４は、上位数名の計時タイムを報知するための情報を生成して、表示盤に表示させる。
【００３９】
一方、競技者ＲＮに携帯される無線タグ１００は、競技者ＲＮと共に競技コースを移動し、フィニッシュライン（ゴールライン）まで到達する。つまり、競技者ＲＮは、スタートし、周回コースＣを規定周回数だけ走行した後に、フィニッシュ部Ｆを走行してフィニッシュする。
この際、無線タグ１００は、周回コースＣにおいて、ループコイル１１ａ上に生成される電磁場にて、同じマットＩＤを受信して周回数をカウントし、そして、ループコイル２１ａ上に生成される電磁場の変極点を検出して、計時ポイントＰ１での計時タイムを特定する。また、フィニッシュ部Ｆにおいて、ループコイル１１ｂ上に生成される電磁場にて、異なるマットＩＤを受信し、そして、ループコイル２１ｂにて生成される電磁場の変極点を検出して、計時ポイントＰ２での計時タイムを特定する。
【００４０】
図６は、無線タグ１００の構成の一例を示すブロック図である。図示するように、無線タグ１００は、ＬＦアンテナ１０１と、増幅回路１０２と、電磁場検出手段及び計時ポイント検出手段としての検出回路１０３と、復調回路１０４と、タイム特定手段としての制御部１０５と、計時手段としての計時部１０６と、記憶手段としての記憶部１０７と、情報送信手段としての通信回路１０８と、を含んで構成される。
【００４１】
ＬＦ（Low Frequency）アンテナ１０１は、上述したループコイル１１及び、ループコイル２１から発生される電磁場を検出する。つまり、変調磁場発生装置１０によりループコイル１１上に生成された電磁場（変調有り）又は、磁場発生装置２０によりループコイル２１上に生成された電磁場（変調無し）を検出する。
そして、ＬＦアンテナ１０１は、検出した電磁界強度を示す検出信号を増幅回路１０２に供給する。
【００４２】
増幅回路１０２は、ＬＦアンテナ１０１から供給される検出信号を適宜増幅して、検出回路１０３に供給する。
【００４３】
検出回路１０３は、増幅回路１０２から供給される検出信号に従って、ループコイル１１，２１上への到達をそれぞれ検出し、更に、ループコイル２１上における電磁場の変極点を検出する。
より詳細に説明すると、検出回路１０３は、一例として、図７（ａ）に示すような抵抗Ｒ１〜Ｒ３、コンデンサＣ、及び、オペアンプＯＰから構成される。この検出回路１０３は、入力される検出信号の電圧の増加時に所定電圧の信号を出力し、また、入力される検出信号の電圧の減少時には信号を出力しない。
そのため、ループコイル１１上において、検出回路１０３は、図７（ｂ）に示すように、電磁場の電磁界強度の増加を検出して「ＨＩ」となり、電磁界強度の減少を検出して「ＬＯ」となる。なお、検出回路１０３は、変調の有無も合わせて検出する。つまり、「ＨＩ」となった状態で変調も検出できれば、検出回路１０３は、無線タグ１００（競技者ＲＮ）がループコイル１１上に到達したことを検出することになる。
一方、ループコイル２１上において、検出回路１０３は、図７（ｃ）に示すように、生成された電磁場の電磁界強度の増加を検出し、２回目の電磁界強度の増加時に電磁場の変極点として検出する。つまり、図７（ｃ）に示す２回目の立ち上がりを、ループコイル２１上におけるトリガポイントとして特定する。なお、最初に「ＨＩ」となった状態（１回目の立ち上がり）で変調を検出しなければ、検出回路１０３は、無線タグ１００がループコイル２１上に到達したことを検出することになる。
【００４４】
図６に戻って、復調回路１０４は、検出回路１０３がループコイル１１上に到達したことを検出すると（「ＨＩ」となった状態で変調も検出すると）、マットＩＤを復調して取得する。つまり、ループコイル１１上に生成された電磁場に重畳されているマットＩＤを受信する。
例えば、図８（ａ）に示すような電磁場に、図８（ｂ）に示すようなマットＩＤ（プリアンブル及びマットＩＤ）が重畳されている場合に、復調回路１０４は、図８（ｃ）に示すように、ＡＧＣ（Automatic Gain Control）により、レベル調整を行った後に、マットＩＤを復調する。これＡＧＣにより、ループコイル１１（変調磁場発生装置１０）の個体差や環境等により、生成される電磁場のレベルが異なる場合でも、マットＩＤを適切に取得できる。
【００４５】
図６に戻って、制御部１０５は、無線タグ１００全体を制御する。例えば、競技がスタートした後に、通信回路１０８が基準時刻を受信すると、この基準時刻と同期するように計時部１０６の計時する時刻を適宜設定（補正）する。
また、制御部１０５は、検出回路１０３が電磁場（変調有り）を検出し、復調回路１０４がマットＩＤを復調（受信）すると、受信したマットＩＤを記憶部１０７に記憶する。その際、同じマットＩＤが記憶済である場合に、制御部１０５は、記憶部１０７の周回数（初期値が０）をカウントアップする。
更に、制御部１０５は、検出回路１０３がループコイル２１上における電磁場の変極点を検出したタイミングで、計時部１０６が計時する時刻を計時タイムとして特定する。そして、特定した計時タイムを、マットＩＤ／周回数に対応させて記憶部１０７に順次記憶する。
【００４６】
計時部１０６は、制御部１０５により適宜補正（設定）され、通信回路１０８が受信した基準時刻に同期した時刻を計時する。
なお、計時部１０６は、高安定水晶発振器を備えており、同期後の時刻の計時を安定して維持することが可能となっている。
【００４７】
記憶部１０７は、例えば、不揮発性メモリからなり、マットＩＤ、周回数及び、計時タイム等を記憶する。
この記憶部１０７には、例えば、図９に示すように、トータルの計時回数分の記憶エリアがそれぞれ設けられており、各記憶エリアに、マットＩＤ、周回数、計時タイム等が格納可能となっている。上述したように、周回コースＣでは、ループコイル１１ａにて同じマットＩＤを受信するため、周回数がカウントアップされる。なお、この図では、競技者ＲＮ（無線タグ１００）が５周目の周回コースＣを走行しており、ループコイル１１ａ上に到達した状態（ループコイル２１ａ上には未到達）を示している。
また、記憶部１０７は、例えば、別エリアに、無線タグ１００毎（競技者ＲＮ毎）に異なるタグＩＤ等を予め記憶している。
【００４８】
通信回路１０８は、所定の通信アンテナを介して、受信機３０，送受信機４０との間で通信を行う。
例えば、通信回路１０８は、制御部１０５が計時タイムを特定すると、この計時タイム、タグＩＤ、及び、マットＩＤ／周回数を含むタイム情報を、受信機３０に向けて送信する。
また、通信回路１０８は、送受信機４０からのポーリングによる送信要求を受信すると、タイム情報を送受信機４０に返信する。
なお、通信回路１０８は、図示せぬ基準時刻送信機から送られる基準時刻等も受信する。
【００４９】
以下、上述した競技用計測システムの動作について、図１０を参照して説明する。図１０は、無線タグ１００が競技中に実行する計時処理を説明するためのフローチャートである。なお、この計時処理に先立って、所定の基準時刻送信機から基準時刻（時刻情報）が送信され、計時部１０６にて、基準時刻との時刻同期が行われているものとする。
【００５０】
まず、無線タグ１００は、電磁場を検出するまで待機する（ステップＳ１１）。すなわち、走行する競技者ＲＮが、ループコイル１１又はループコイル２１まで到達し、ループコイル１１，２１上に生成される電磁場を、検出回路１０３が検出するまで、無線タグ１００は、後続処理の実行を待機する。
【００５１】
無線タグ１００は、電磁場を検出すると、変調の有無を判別する（ステップＳ１２）。つまり、検出回路１０３は、検出した電磁場が変調されているか否かを判別する。なお、電磁場が変調されている場合に、ループコイル１１上に到達したと判別し、逆に、電磁場が変調されていない場合に、ループコイル２１上に到達したと判別する。
【００５２】
無線タグ１００は、電磁場が変調されていると判別すると（ループコイル１１上に到達したと判別すると）、マットＩＤを受信して記憶する（ステップＳ１３）。つまり、復調回路１０４が、電磁場に重畳されているマットＩＤを復調して取得し、制御部１０５が、取得した（受信した）マットＩＤを記憶部１０７に格納する。
【００５３】
無線タグ１００は、既に同じマットＩＤが記憶部１０７に記憶済であるか否かを判別する（ステップＳ１４）。すなわち、周回コースＣにて、ループコイル１１ａから同じマットＩＤを受信した状態であるかどうかを判別する。
【００５４】
無線タグ１００は、記憶済でないと判別すると、前述したステップＳ１１に処理を戻す。なお、この際、記憶部１０７に格納したマットＩＤの周回数は、初期値の「０」に設定される。
一方、記憶済であると判別すると、無線タグ１００は、周回数をカウントアップする（ステップＳ１５）。つまり、制御部１０５は、同じマットＩＤの周回数（前回格納した周回数）に１を加算した値を、現在の周回数として、記憶部１０７に格納する。
そして、無線タグ１００は、前述したステップＳ１１に処理を戻す。
【００５５】
上述したステップＳ１２にて、電磁場が変調されていないと判別した場合（ループコイル２１上に到達したと判別した場合）、無線タグ１００は、変極点を検出するまで待機する（ステップＳ１６）。つまり、検出回路１０３が、ループコイル２１上における電磁場の変極点を検出するまで待機する。なお、検出回路１０３は、電磁場の電磁界強度の増加を検出した後、２回目の電磁界強度の増加を検出した際に、電磁場の変極点として検出する。
【００５６】
そして、変極点が検出されると、無線タグ１００は、計時タイムを特定する（ステップＳ１７）。つまり、制御部１０５は、検出回路１０３がループコイル２１上における電磁場の変極点を検出したタイミングで、計時部１０６が計時する時刻を計時タイムとして特定する。
【００５７】
無線タグ１００は、特定した計時タイムをマットＩＤ等と対応付けて記憶する（ステップＳ１８）。つまり、制御部１０５は、計時タイムを、マットＩＤ／周回数と対応付けて、記憶部１０７に格納する。
【００５８】
無線タグ１００は、タイム情報を生成し、受信機３０に向けて送信する。（ステップＳ１９）。つまり、制御部１０５が、計時タイム、タグＩＤ、及び、マットＩＤ／周回数を含むタイム情報を生成し、通信回路１０８が、タイム情報を受信機３０に向けて送信する。
なお、送受信機４０からポーリングによる送信要求を受信した場合に、無線タグ１００は、タイム情報を送受信機４０に返信する。
そして、無線タグ１００は、前述したステップＳ１１に処理を戻す。
【００５９】
このような計時処理により、無線タグ１００は、ループコイル１１ａ上にて同じマットＩＤを受信して周回数をカウントし、ループコイル２１ａ上の電磁場の変極点を検出して、計時ポイントＰ１での計時タイムを特定する。また、ループコイル１１ｂ上にて異なるマットＩＤを受信し、ループコイル２１ｂ上の電磁場の変極点を検出して、計時ポイントＰ２での計時タイムを特定する。
つまり、周回コースＣにおいて、周回数をカウントしつつ計時ポイントＰ１での計時タイムを特定し、また、フィニッシュ部Ｆにおいて、計時ポイントＰ２での計時タイムを適切に特定する。
【００６０】
そして、各計時ポイントにて特定された計時タイムが、マットＩＤ／周回数と共に、受信機３０等を介してデータ処理装置５０に送信される。そのため、データ処理装置５０では、計時ポイントや周回数を特定して競技者のタイムを決定できる。
この結果、通信範囲内に複数の計時ポイントが存在する場合でも、計時ポイント等を特定して競技者のタイムを適切に計時することができる。
【００６１】
上記の第１の実施形態では、ループコイル１１（１１ａ，１１ｂ）上にて、無線タグ１００がマットＩＤだけを受信する場合について説明したが、この際、基準時刻等の情報を受信して、計時部１０６が計時する時刻を補正できるようにしてもよい。
以下、ループコイル１１上にて、基準時刻等を受信して、計時時刻を補正することも可能とした本発明の第２の実施形態について説明する。
【００６２】
（実施形態２）
図１１は、この発明の第２の実施形態に適用される競技用計測システムの構成の一例を示す模式図である。
この競技用計時システムは、上述した図１の競技用計時システムに、時刻送信機６０及び、応答受信機７０が更に付加されて構成されている。また、これに伴いデータ処理装置８０にも変更が加えられている。
【００６３】
時刻送信機６０は、ループコイル１１（１１ａ，１１ｂ）上を通過する無線タグ１００に向けて基準時刻等を送信する。
具体的に、時刻送信機６０は、競技スタート後に、全競技者ＲＮがループコイル１１ａ上を通過するまで（周回コースＣでの最初の周回が終わるまで）、基準時刻及び関門ＩＤを送信する。その後、時刻送信機６０は、一旦、基準時刻等の送信を止め、先頭の競技者ＲＮが周回コースＣの周回を終えるのを待機する。先頭の競技者ＲＮが周回を終えると、時刻送信機６０は、全競技者ＲＮがループコイル２１ａ上を通過するまで（フィニッシュするまで）、基準時刻及び関門ＩＤを送信する。
なお、関門ＩＤとは、時刻送信機６０等からどのタイミングで送信された基準時刻であるかを識別するための情報であり、最初の周回時とフィニッシュ時とで、異なる値が送信されるようになっている。例えば、時刻送信機６０は、最初の周回時では、関門ＩＤに「１」を設定して送信し、一方、フィニッシュ時では、関門ＩＤに「１５」を設定して送信する。
また、競技開始前や競技開始時点に、図示せぬ基準時刻送信機から基準時刻と共に送信される関門ＩＤには、「０」が設定されている。
そして、無線タグ１００が、これら関門ＩＤ及び基準時刻を受信した際に、基準時刻に同期した時刻を計時する（計時部１０６の時刻を補正する）と共に、関門ＩＤを記憶する。これにより、無線タグ１００が計時している時刻がどの時点で送られた基準時刻であるかが判別可能となる。
【００６４】
応答受信機７０は、時刻送信機６０が送信した基準時刻等を受信した無線タグ１００から送信される応答情報を受信する。
具体的に、応答受信機７０は、タグＩＤ、マットＩＤ、及び、関門ＩＤを含む応答情報を受信する。
すなわち、無線タグ１００は、ループコイル１１（１１ａ，１１ｂ）上にて、マットＩＤを受信すると共に、時刻送信機６０から送られる基準時刻及び関門ＩＤを受信する。そして、無線タグ１００は、基準時刻に同期したこと等を返信するために、受信したマットＩＤ及び関門ＩＤを含む応答情報を送信することになる。
応答受信機７０は、このようにして送信される応答情報を受信することにより、無線タグ１００が時刻同期を済ませたことや、マットＩＤを受信したことを判別できる。
なお、応答受信機７０は、この応答情報をデータ処理装置８０に送信し、データ処理装置８０は、ポーリング受信を行う際のポーリングリスト等をこの応答情報から生成する。
【００６５】
データ処理装置８０は、図１２に示すように、上述した図４のデータ処理装置５０に、基準時刻計時部８１及び、時刻情報供給部８２が更に付加されて構成されている。また、これに伴い情報取得部８３にも変更が加えられている。
【００６６】
基準時刻計時部８１は、所定のタイマ回路等からなり、システムにおいて基準となる基準時刻を計時する。一例として、基準時刻計時部８１は、正確な現在時刻等を計時する。なお、基準時刻計時部８１は、例えば、高安定水晶発振器等を備えており、基準時刻の計時を安定して維持することが可能となっている。
【００６７】
時刻情報供給部８２は、制御部５３に制御され、基準時刻計時部８１が計時する基準時刻（時刻情報）を時刻送信機６０に供給する。
【００６８】
情報取得部８３は、更に、応答受信機７０が受信した応答情報（タグＩＤ、マットＩＤ、及び、関門ＩＤ）を取得する。
【００６９】
以下、上述した構成の競技用計測システムの動作について、図１３を参照して説明する。図１３は、無線タグ１００が競技中に実行する計時処理を説明するためのフローチャートである。この計時処理は、上述した図１０に示す計時処理に、ステップＳ２１，Ｓ２２が更に付加されている。
なお、この計時処理に先立って、所定の基準時刻送信機から基準時刻及び関門ＩＤが送信され基準時刻との時刻同期が行われており、また、その際の関門ＩＤ（関門ＩＤ＝０）も記憶部１０７に記憶されているものとする。
【００７０】
無線タグ１００は、ステップＳ１１にて電磁場の検出を判別し、ステップＳ１２にて検出した電磁場が変調されていると判別すると、基準時刻等を受信したか否かを判別する（ステップＳ２１）。
すなわち、通信回路１０８が時刻送信機６０から送られる基準時刻及び関門ＩＤを受信したかどうかを判別する。なお、時刻送信機６０は、上述したように、各競技者ＲＮが周回コースＣを最初に周回する際、又は、先頭の競技者ＲＮが周回を終えた際に、基準時刻等を送信する。
【００７１】
無線タグ１００は、基準時刻等を受信していないと判別すると、ステップＳ１３に処理を進める。
一方、基準時刻等を受信したと判別した場合に、無線タグ１００は、自己が計時する時刻を補正し、関門ＩＤを記憶する（ステップＳ２２）。つまり、受信した基準時刻に同期するように計時部１０６を補正し、そして、関門ＩＤを記憶する。なお、時刻送信機６０は、上述したように、最初の周回時では関門ＩＤに「１」を設定して送信し、また、フィニッシュ時では、関門ＩＤに「１５」を設定して送信する。
【００７２】
無線タグ１００は、ステップＳ１３にてマットＩＤを受信して記憶し、ステップＳ１４にて既に同じマットＩＤを記憶済であると判別すると、ステップＳ１５にて周回数をカウントアップする。
【００７３】
また、ステップＳ１２にて検出した電磁場が変調されていないと判別すると、無線タグ１００は、ステップＳ１６にて変極点を判別し、ステップＳ１７にて計時タイムを特定する。
そして、無線タグ１００は、ステップＳ１８にて計時タイムをマットＩＤ等と対応付けて記憶し、ステップＳ１９にて、タイム情報を生成し、受信機３０に向けて送信する。
なお、ステップＳ１９において、無線タグ１００は、計時タイム、タグＩＤ、関門ＩＤ、及び、マットＩＤ／周回数を含むタイム情報を生成し、このタイム情報を受信機３０に向けて送信する。
【００７４】
このような計時処理により、無線タグ１００は、競技中に時刻送信機６０から送られる基準時刻に同期すると共に、同時に時刻送信機６０から送られる関門ＩＤを記憶する。そして、ループコイル２１（２１ａ，２１ｂ）上にて、基準時刻に同期した計時タイムを特定する。
そして、各計時ポイントにて特定された計時タイムが、マットＩＤ／周回数及び、関門ＩＤと共に、受信機３０等を介してデータ処理装置８０に送信される。そのため、データ処理装置８０では、無線タグ１００での計時の基となった基準時刻がどの時点で送られたものか判別可能となる。
そのため、送信した基準時刻にずれ等がある場合に、データ処理装置８０側で計時タイムを適宜補正することができる。
【００７５】
例えば、関門ＩＤが「０」であれば、競技開始前等に送られた基準時刻に同期したものであり、ループコイル１１（１１ａ，１１ｂ）上にて時刻同期がなされていないことが判別できる。そして、競技開始前等に送られた基準時刻にずれがある場合には、データ処理装置８０は、そのずれに従って、計時タイムを補正する。
この結果、通信範囲内に複数の計時ポイントが存在する場合でも、計時ポイント等を特定して競技者のタイムを適切に計時することができる。
【００７６】
（実施形態３）
上記の実施形態では、競技用計測システムを陸上のクロスカントリ競技に適用した場合について説明したが、計測対象の競技は、これに限られず任意である。例えば、競歩競技等にも適用可能である。
以下、競技用計測システムが競歩競技に適用された場合について、図１４を参照して説明する。
【００７７】
競歩競技では、図１４に示すように、スタート／ゴールが競技場ＫＪ（場内のトラック）にて行われ、途中が場外の周回コースＳＣにて行われる場合が多い。そして、周回コースＳＣ内において、例えば、５ｋｍ毎に計時ポイント（Ｐ１〜Ｐ３）が配置され、そして、競技場ＫＪにてゴールの計時ポイント（Ｐ４）が配置されている。
なお、各計時ポイントＰ１〜Ｐ４を含む範囲が、受信機３０，送受信機４０の通信エリアとなっている。
【００７８】
この場合も、各計時ポイントには、ループコイル２１（２１ａ〜２１ｄ）が配置され、また、その沿道には磁場発生装置２０（２０ａ〜２０ｄ）が配置される。つまり、ループコイル２１は、磁場発生装置２０から供給される信号に基づいて、上述した図３（ｃ）に示すような電磁場を生成する。
更に、各計時ポイントの手前には、ループコイル１１（１１ａ〜１１ｄ）が配置され、また、その沿道には変調磁場発生装置１０（１０ａ〜１０ｄ）が配置される。つまり、ループコイル１１は、変調磁場発生装置１０から供給される信号に基づいて、上述した図２（ｃ）に示すようなマットＩＤ（プリアンブル及びマットＩＤ）が重畳された電磁場を生成する。なお、マットＩＤは、変調磁場発生装置１０毎に異なっている。
【００７９】
そして、無線タグ１００は、ループコイル１１（１１ａ〜１１ｄ）上に生成される電磁場にて、マットＩＤを受信して記憶し、そして、ループコイル２１（２１ａ〜２１ｄ）にて生成される電磁場の変極点を検出して、計時ポイントＰ１〜Ｐ４での計時タイムを特定する。
なお、競技者ＲＮが周回コースＳＣを周回する際に、ループコイル１１ａ〜１１ｃにて受信したマットＩＤが既に記憶されている場合（２周目以降）、無線タグ１００は、上述した第１の実施形態等と同様に、周回数をカウントアップする。その際、各マットＩＤに対応して周回数をカウントアップする。
そして、計時タイムを特定すると、無線タグ１００は、この計時タイム、タグＩＤ、及び、マットＩＤ／周回数を含むタイム情報を、受信機３０等に向けて送信する。
【００８０】
そして、各計時ポイントにて特定された計時タイムが、マットＩＤ／周回数と共に、受信機３０等を介してデータ処理装置５０に送信される。そのため、データ処理装置５０では、計時ポイントや周回数を特定して競技者のタイムを決定できる。
この結果、通信範囲内に複数の計時ポイントが存在する場合でも、計時ポイント等を特定して競技者のタイムを適切に計時することができる。
【００８１】
また、競技の進行に合わせて、各ループコイル１１ａ〜１１ｃにて送信するマットＩＤを適宜更新し、あたかも、一直線上のコースと同様に扱うことができるようにしてもよい。
例えば、周回遅れ等が生じない場合、最後尾の競技者ＲＮがループコイル１１ａ〜１１ｃを通過した後に、変調磁場発生装置１０ａ〜１０ｃにて重畳するマットＩＤを順次変更する。つまり、重複が生じないように予め定められたマットＩＤに、順次変更する。
これにより、各競技者ＲＮが周回を重ねてループコイル１１ａ〜１１ｃ上を通過しても、それぞれ異なるマットＩＤが無線タグＩＤに記憶されることになる。そして、ループコイル２１ａ〜２１ｃ上にて計時された計時タイムと共に、受信機３０等を介してデータ処理装置５０に送信される。
このため、データ処理装置５０は、周回と共に異なるマットＩＤから、あたかも、一直線上のコースのように計時ポイントを特定して競技者のタイムを決定できる。
この結果、通信範囲内に複数の計時ポイントが存在する場合でも、計時ポイント等を特定して競技者のタイムを適切に計時することができる。
【００８２】
上記の実施形態では、無線タグ１００に計時部１０６を設けて無線タグ１００にて計時するようにしたが、データ処理装置５０に計時部を設けてデータ処理装置５０にて計時するようにしてもよい。
以下、データ処理装置にて計時するようにした本発明の第４の実施形態について説明する。
【００８３】
（実施形態４）
この実施形態では、第１の実施形態に適用された図１の競技用計測システムにおいて、無線タグ１００及びデータ処理装置５０の構成に変更を加えたものである。
図１５には、この実施形態に適用される無線タグ１００ａの構成が示されている。
無線タグ１００ａには、ＬＦアンテナ１０１ａ、増幅回路１０２ａ、電磁場検出手段及び検出回路１０３ａ、復調回路１０４ａ、制御部１０５ａ、記憶部１０７ａ及び通信回路１０８ａが設けられている。
ＬＦアンテナ１０１ａ、増幅回路１０２ａ、検出回路１０３ａ及び復調回路１０４ａは、それぞれ第１の実施形態に適用された無線タグ１００のＬＦアンテナ１０１と増幅回路１０２と検出回路１０３と復調回路１０４と同一構成であり、説明を省略する。
【００８４】
制御部１０５ａは、無線タグ１００ａの全体を制御する。制御部１０５ａは、検出回路１０３ａが電磁場（変調有り）を検出し、復調回路１０４ａがマットＩＤを復調（受信）すると、受信したマットＩＤを記憶部１０７ａに記憶させる。その際、同じマットＩＤが記憶済である場合に、制御部１０５ａは、記憶部１０７ａの周回数（初期値が０）をカウントアップする。周回コースＣでは、ループコイル１１ａにて同じマットＩＤを受信するため、周回数がカウントアップされる。
【００８５】
記憶部１０７ａは、例えば、不揮発性メモリからなり、マットＩＤ、周回数を記憶する。また、記憶部１０７ａは、例えば、別エリアに、無線タグ１００ａ毎（競技者ＲＮ毎）に異なるタグＩＤ等を予め記憶している。
【００８６】
通信回路１０８ａは、所定の通信アンテナを介して、受信機３０との間で通信を行う。通信回路１０８ａは、検出回路１０３ａがループコイル２１上における電磁場の変極点を検出すると、制御部１０５ａに制御されてタグＩＤ及びマットＩＤ／周回数を含む特定情報を受信機３０に向けて送信する。
【００８７】
図１６には、この実施形態に適用されるデータ処理装置５０ａが示されている。
データ処理装置５０ａには、情報取得部５１ａ、競技情報記憶部５２ａ、制御部５３ａ、報知情報供給部５４ａ及び計時部５５ａが設けられている。
【００８８】
情報取得部５１ａは、受信機３０が受信した特定情報を取得する。
計時部５５ａは、高安定水晶発振器を備えており、同期後の時刻の計時を安定して維持することが可能となっている。
【００８９】
制御部５３ａは、データ処理装置５０ａ全体を制御する。
具体的には、制御部５３ａは、情報取得部５１ａが受信機３０から特定情報を取得したタイミングで、計時部５５ａが計時する時刻を計時タイムとして特定するとともに、特定した計時タイムをタグＩＤ及びマットＩＤ／周回数と対応付けて、競技情報記憶部５２ａに格納する。すなわち、競技情報記憶部５２ａは、情報取得部５１ａが取得した特定情報に基づいて、各無線タグ１００ａに対応した競技情報を記憶する。具体的には、競技情報記憶部５２ａは、タグＩＤ毎に、計時ポイント、周回数及び、計時タイム等を集計した競技情報を記憶する。
【００９０】
報知情報供給部５４ａは、競技情報記憶部５２ａに記憶された競技情報から、報知用の情報を生成し、図示せぬ表示盤等に供給する。例えば、報知情報供給部５４ａは、上位数名の計時タイムを報知するための情報を生成して、表示盤に表示させる。
【００９１】
以下、上述した競技用計測システムの動作について、図１７を参照して説明する。
まず、無線タグ１００ａは、電磁場を検出するまで待機する（ステップＳ１１０）。すなわち、走行する競技者ＲＮが、ループコイル１１又はループコイル２１まで到達し、ループコイル１１，２１上に生成される電磁場を、検出回路１０３ａが検出するまで、無線タグ１００ａは、後続処理の実行を待機する。
【００９２】
無線タグ１００ａは、電磁場を検出すると、変調の有無を判別する（ステップＳ１２０）。つまり、検出回路１０３ａは、検出した電磁場が変調されているか否かを判別する。なお、電磁場が変調されている場合に、ループコイル１１上に到達したと判別し、逆に、電磁場が変調されていない場合に、ループコイル２１上に到達したと判別する。
【００９３】
無線タグ１００ａは、電磁場が変調されていると判別すると（ループコイル１１上に到達したと判別すると）、マットＩＤを受信して記憶する（ステップＳ１３０）。つまり、復調回路１０４ａが、電磁場に重畳されているマットＩＤを復調して取得し、制御部１０５ａが、取得した（受信した）マットＩＤを記憶部１０７ａに格納する。
【００９４】
無線タグ１００ａは、既に同じマットＩＤが記憶部１０７ａに記憶済であるか否かを判別する（ステップＳ１４０）。すなわち、周回コースＣにて、ループコイル１１ａから同じマットＩＤを受信した状態であるかどうかを判別する。
無線タグ１００ａは、記憶済でないと判別すると、前述したステップＳ１１０に処理を戻す。なお、この際、記憶部１０７ａに格納したマットＩＤの周回数は、初期値の「０」に設定される。
【００９５】
一方、記憶済であると判別すると、無線タグ１００ａは、周回数をカウントアップする（ステップＳ１５０）。つまり、制御部１０５ａは、同じマットＩＤの周回数（前回格納した周回数）に１を加算した値を、現在の周回数として、記憶部１０７ａに格納する。
そして、無線タグ１００ａは、前述したステップＳ１１０に処理を戻す。
【００９６】
上述したステップＳ１２０にて、電磁場が変調されていないと判別した場合（ループコイル２１上に到達したと判別した場合）、無線タグ１００ａは、変極点を検出するまで待機する（ステップＳ１６０）。つまり、検出回路１０３ａが、ループコイル２１上における電磁場の変極点を検出するまで待機する。なお、検出回路１０３ａは、電磁場の電磁界強度の増加を検出した後、２回目の電磁界強度の増加を検出した際に、電磁場の変極点として検出する。
【００９７】
そして、電磁場の変極点が検出されると、無線タグ１００ａは、タグＩＤ及びマットＩＤ／周回数を含む特定情報を受信機３０に向けて送信する（ステップＳ１９０）。つまり、検出回路１０３ａがループコイル２１上における電磁場の変極点を検出すると、通信回路１０８ａが制御部１０５ａに制御されてタグＩＤ及びマットＩＤ／周回数を含む特定情報を受信機３０に向けて送信する。
【００９８】
タグＩＤ及びマットＩＤ／周回数を含む特定情報は、受信機３０を介してデータ処理装置５０ａに送信される。データ処理装置５０ａでは、情報取得部５１ａが受信機３０から特定情報を取得する。そして、制御部５３ａは、情報取得部５１ａが特定情報を取得したタイミングで、計時部５５ａが計時する時刻を計時タイムとして特定する（ステップＳ２００）とともに、特定した計時タイムをタグＩＤ及びマットＩＤ／周回数と対応付けて、競技情報記憶部５２ａに格納する（ステップＳ３００）。これにより、例えば、タグＩＤ毎に、計時ポイント、周回数及び、計時タイム等を集計した競技情報が競技情報記憶部５２ａに記憶される。
この結果、通信範囲内に複数の計時ポイントが存在する場合でも、計時ポイント等を特定して競技者のタイムを適切に計時することができる。
【００９９】
なお、上記の実施の形態では、データ処理装置５０ａにおいて、無線タグ１００ａからタグＩＤ等を受信したタイミング、すなわち情報取得部５１ａが特定情報を取得したタイミングで、計時部５５ａが計時する時刻を計時タイムとして特定する場合について説明した。
しかしながら、無線タグ１００ａにおける処理時間等を考慮して、データ処理装置５０ａにて、より正確な時刻を計時タイムとして特定するようにしてもよい。
【０１００】
例えば、無線タグ１００ａの検出回路１０３ａがループコイル２１上における電磁場の変極点を検出してから、タグＩＤ等を読み出し、その後、データ処理装置５０ａに当該タグＩＤ等の特定情報を送信するまでの所要時間Δｔを算出する手段（所要時間算出手段）を無線タグ１００ａに更に備えるようにする。所要時間Δｔの算出は、予め行っておく様にしてもよく、また、毎回算出するようにしてもよい。そして、無線タグ１００ａは、タグＩＤ等の特定情報と共に、算出した所要時間Δｔを受信機３０を介してデータ処理装置５０ａに送信する。
一方、データ処理装置５０ａは、計時部５５ａが計時する時刻を計時タイムとして特定する際に、所要時間Δｔを用いて、計時タイムを適宜補正する。
この場合、データ処理装置５０ａは、より正確な時刻を計時タイムとして特定することになり、ひいては、より正確な競技タイムを特定することができる。
【０１０１】
（他の実施形態）
上記の実施形態では、本願発明を、競技用計測システムに適用した場合について説明したが、競技以外にも、適宜適用可能である。
例えば、横断歩道における歩行者の移動状況等を計測する場合にも適用可能である。
以下、本願発明を横断歩道における歩行者を管理する計測システムに適用された場合について図１８を参照して説明する。
【０１０２】
図示するように、この計測システムは、ループコイル１１（１１ａ〜１１ｈ）と、変調磁場発生装置１０（１０ａ〜１０ｈ）と、受信機３０と、データ処理装置５０と、歩行者ＷＫに携帯される無線タグ１００を含んで構成される。
ループコイル１１（１１ａ〜１１ｈ）は、例えば、横断歩道Ｈ１〜Ｈ４の両端（横断歩道上における車道と歩道との境目）となる箇所に埋設されている。また、変調磁場発生装置１０も、歩道内等に埋設されている。そして、ループコイル１１は、変調磁場発生装置１０から供給される信号に基づいて、上述した図２（ｃ）に示すようなマットＩＤ（プリアンブル及びマットＩＤ）が重畳された電磁場を生成する。なお、マットＩＤは、変調磁場発生装置１０毎に異なっている。
【０１０３】
受信機３０は、一例として、ループコイル１１ｂ，１１ｃの近傍に配置され、無線タグ１００から送られるタグ情報（タグＩＤ、及び、マットＩＤ）を受信する。
なお、受信機３０は、通信エリアＡ内にて、無線タグ１００と通信可能であり、ループコイル１１（１１ａ〜１１ｈ）上にてマットＩＤを受信した無線タグ１００から送られるタグ情報を受信する。
【０１０４】
データ処理装置５０は、受信機３０を介して取得したタグ情報から、歩行者ＷＫの移動状況等を把握する。
【０１０５】
また、各歩行者ＷＫに携帯される無線タグ１００は、ループコイル１１（１１ａ〜１１ｈ）上にて、マットＩＤを受信すると、タグＩＤ及びマットＩＤを含むタグ情報を生成し、例えば、一定時間（一例として１秒間）だけ受信機３０に向けて送信する。
なお、タグＩＤには、歩行者ＷＫの種別を示す情報も含まれている。例えば、タグＩＤから、障害者や高齢者等の交通弱者を示す情報も得られるものとする。
【０１０６】
このような計測システムでは、送られたタグ情報に基づいて、歩行者ＷＫの移動状況等を管理する。
例えば、図１９（ａ）に示すように、それまで管理していなかった歩行者ＷＫのタグＩＤを含むタグ情報（タグＩＤ：ＡＢＣ，マットＩＤ：００７）を受信した場合、データ処理装置５０は、その歩行者ＷＫがループコイル１１ｇから横断歩道Ｈ４に入り、現在横断中であると判別する。
続いて、図１９（ｂ）に示すように、同じタグＩＤを含むタグ情報（タグＩＤ：ＡＢＣ，マットＩＤ：００８）を受信した場合、データ処理装置５０は、その歩行者ＷＫがループコイル１１ｈから歩道に入り、横断歩道Ｈ４を渡りきったと判別する。
更に、図１９（ｃ）に示すように、同じタグＩＤを含むタグ情報（タグＩＤ：ＡＢＣ，マットＩＤ：００１）を受信した場合、データ処理装置５０は、その歩行者ＷＫがループコイル１１ａから横断歩道Ｈ１に入り、現在横断中であると判別する。
【０１０７】
この他にも、何人の歩行者ＷＫが横断歩道を横断中であるかや、その中に交通弱者が含まれているか等も把握できる。
このように、データ処理装置５０は、各歩行者ＷＫの移動状況等を把握するだけでなく、歩行者ＷＫの人数や、交通弱者の有無に応じて、歩行者用信号の青期間を長くする等の制御を行えるようにしてもよい。
【０１０８】
更に、無線タグ１００にメロディ機能やバイブレータ機能を付加し、特定の歩行者ＷＫ（例えば、視覚障害者等）に、進もうとする横断歩道における信号状態（青に変わったこと、青の点滅に変わったこと、及び、赤に変わったこと等）を音や振動で知らせるようにしてもよい。
【０１０９】
以上説明したように、通信範囲内に複数の計時ポイントが存在する場合でも、計時ポイント等を特定して競技者のタイムを適切に計時することができる。
【図面の簡単な説明】
【０１１０】
【図１】本発明の第１の実施形態に係る競技用計測システムの構成の一例を示す模式図である。
【図２】（ａ）がループコイルの形状（略矩形形状）の一例を示す模式図であり、（ｂ）が生成される電磁場を説明するための模式図であり、（ｃ）が電磁場に重畳されるマットＩＤ等を説明するための模式図である。
【図３】（ａ）がループコイルの形状（略８の字形状）の一例を示す模式図であり、（ｂ）が生成される電磁場を説明するための模式図であり、（ｃ）が電磁場の強度分布を説明するための模式図である。
【図４】データ処理装置の構成の一例を示すブロック図である。
【図５】競技情報記憶部に記憶される競技情報の一例を示す模式図である。
【図６】無線タグの構成の一例を示すブロック図である。
【図７】（ａ）が検出回路の一例を示す回路図であり、（ｂ），（ｃ）共に、電磁場の検出の様子を説明するための模式図である。
【図８】（ａ）が生成される電磁場を説明するための模式図であり、（ｂ）が電磁場に重畳されるマットＩＤ等を説明するための模式図であり、（ｃ）がレベル調整を行った後に、マットＩＤを復調する様子を説明するための模式図である。
【図９】無線タグ（記憶部）に記憶される情報の一例を示す模式図である。
【図１０】本発明の第１の実施形態に係る計時処理を説明するためのフローチャートである。
【図１１】本発明の第２の実施形態に係る競技用計測システムの構成の一例を示す模式図である。
【図１２】データ処理装置の構成の一例を示すブロック図である。
【図１３】本発明の第２の実施形態に係る計時処理を説明するためのフローチャートである。
【図１４】競歩競技に適用される競技用計測システムの構成の一例を示す模式図である。
【図１５】本発明の第４の実施形態に係る無線タグの構成の一例を示すブロック図である。
【図１６】本発明の第４の実施形態に係るデータ処理装置の構成の一例を示すブロック図である。
【図１７】本発明の第４の実施形態に係る計時処理を説明するためのフローチャートである。
【図１８】本発明の他の実施形態に係る計測システムの一例を示す模式図である。
【図１９】（ａ）〜（ｃ）共に、歩行者の移動状況の一例を示す模式図である。
【図２０】従来の計時システムの問題点を説明するための模式図である。
【符号の説明】
【０１１１】
１０（１０ａ，１０ｂ等）  変調磁場発生装置
１１（１１ａ，１１ｂ等）  ループコイル
２０（２０ａ，２０ｂ等）  磁場発生装置
２１（２１ａ，２１ｂ等）  ループコイル
３０  受信機
４０  送受信機
５０  データ処理装置
６０  時刻送信機
７０  応答受信機
１００  無線タグ
【図１】
0004515365.tif 000002
【図２】
0004515365.tif 000003
【図３】
0004515365.tif 000004
【図４】
0004515365.tif 000005
【図５】
0004515365.tif 000006
【図６】
0004515365.tif 000007
【図７】
0004515365.tif 000008
【図８】
0004515365.tif 000009
【図９】
0004515365.tif 000010
【図１０】
0004515365.tif 000011
【図１１】
0004515365.tif 000012
【図１２】
0004515365.tif 000013
【図１３】
0004515365.tif 000014
【図１４】
0004515365.tif 000015
【図１５】
0004515365.tif 000016
【図１６】
0004515365.tif 000017
【図１７】
0004515365.tif 000018
【図１８】
0004515365.tif 000019
【図１９】
0004515365.tif 000020
【図２０】
0004515365.tif 000021